(57)【特許請求の範囲】
【請求項１】
声帯振動を受けることによって音声信号に変換するとともに共振周波数が異なる複数の圧電バイモルフを備え、
上記各圧電バイモルフはその出力インピーダンスを変換するインピーダンス変換器を有し、
一つの圧電バイモルフが有するインピーダンス変換器の出力で他の圧電バイモルフを駆動するように接続されて各圧電バイモルフの出力信号が加算されるように構成され、
各インピーダンス変換器の入力抵抗は可変であって各インピーダンス変換器出力の低域の周波数応答が可変である咽喉マイクロホン。
【請求項２】
各圧電バイモルフが有するインピーダンス変換器の出力レベルを可変とする可変抵抗を備えている請求項１記載の咽喉マイクロホン。
【請求項３】
圧電バイモルフは長さ方向の一端部の両面に電極を有し、複数の圧電バイモルフが上記電極形成部において積層され、隣接する圧電バイモルフの上記電極間にはスペーサが介在し、各圧電バイモルフは上記電極形成部において一体に締結されている請求項１または２記載の咽喉マイクロホン。
【請求項４】
各圧電バイモルフは、異なる重さの錘を有することによって異なる共振周波数に設定されている請求項１、２または３記載の咽喉マイクロホン。
【請求項５】
各インピーダンス変換器は、能動素子としてＦＥＴを有してなる請求項１乃至４のいずれかに記載の咽喉マイクロホン。
【発明の詳細な説明】
【技術分野】
【０００１】
本発明は、環境条件に応じて周波数応答を調整可能にすることにより、電気音響変換される音声信号の明瞭度を高めることができる咽喉マイクロホンに関するものである。
【背景技術】
【０００２】
空気中を伝搬する音声を収音して電気信号に変換する一般のマイクロホンを、例えば、航空機の整備場など騒音レベルの高い環境の下で使用すると、必要な音声が騒音にかき消されてしまい、必要な音声を収音することができない。また、ダイバーが水中で発する音声をマイクロホンで収音しようとしても、一般のマイクロホンでは収音することができない。そこで、上記のような環境下においても人が発する音声を電気信号に変換することができるように、人が声を発するときの咽喉の振動を検出するマグネットタイプあるいはエレクトレットコンデンサタイプの咽喉マイクロホンが用いられる。しかし、このような咽喉マイクロホンは、咽喉部の振動のみを検出するものであるため、口元で発生する摩擦音や破裂音を収音することができず、音声信号の明瞭度が劣る。
【０００３】
摩擦音や破裂音は、音声信号のうち比較的高い周波数成分を多く含んでいることから、この周波数帯域の感度が高くなるように咽喉マイクロホンを設計するとよい。そこで、咽喉マイクロホンとして骨伝導音を利用したマイクロホンを用いることが提案されている。骨伝導音を利用したマイクロホンの電気音響変換素子として、堅牢でありかつ出力レベルが大きい圧電素子が用いられる。咽喉マイクロホンの電気音響変換素子として圧電素子を用いる場合、２枚の圧電素子を張り合わせた構造のバイモルフ型圧電素子（以下、「圧電バイモルフ」という）が用いられる。
【０００４】
非特許文献１には、圧電バイモルフを用いた骨伝導マイクロホンの例が記載されている。単体の圧電バイモルフは、共振周波数付近では高い感度が得られるものの、高い感度を得ることができる領域が狭いという問題がある。そこで、非特許文献１記載の骨伝導マイクロホンは、圧電バイモルフを複数本重ねて使用することにより、広い周波数帯域での感度補正を可能にしている。非特許文献１に記載されている骨伝導マイクロホンの具体例では、３本の圧電バイモルフの一端部を、相互間に導電性のワッシャを介在させて積層するとともにシャフトを貫通させて一体に締結し、積層方向両端の電極から信号を出力するようになっている。したがって、３本の圧電バイモルフが直列に接続された構成になっている。３本の圧電バイモルフは、長さの相違、錘の相違などによって互いに共振周波数が異なっている。
【０００５】
非特許文献１記載の骨伝導マイクロホンの例によれば、１〜４ｋＨｚの周波数帯域において、気導音すなわち空気を伝搬する通常の音声に近い特性を得ることができ、音声認識率が高まる、とされている。
【０００６】
非特許文献１記載の骨伝導マイクロホンの例によれば、周波数帯域や周波数応答を調整しようとすると、個々の圧電バイモルフに固着する錘の重さを変えて共振周波数を変えることになり、調整は難しい。よって、非特許文献１には、個々の圧電バイモルフの共振周波数を電気的に調整することに関しては開示がなく、示唆されてもいない。
【０００７】
圧電バイモルフを用いたマイクロホンは、例えば無指向性コンデンサマイクロホンのような弾性制御型マイクロホンと同様に、共振周波数以下の周波数帯域の出力レベルは一定になり、共振周波数以上の周波数帯域では周波数が高くなるに従って出力レベルが低下する。また、圧電バイモルフは、これに固着する錘を重くして共振周波数を低くすると、共振周波数以下の周波数帯域での出力レベルは上昇する。逆に、圧電バイモルフに固着する錘を軽くし、あるいは錘をなくすと、共振周波数は高い周波数の方に移動し、共振周波数以下の周波数帯域での出力レベルは低下する。
【０００８】
当初に述べた従来の咽喉マイクロホンでは、共振周波数を摩擦音や破裂音が発生する周波数帯域に設計することで、明瞭度を向上させることは可能である。また、非特許文献１記載の骨伝導マイクロホンでは、共振周波数の異なる複数の圧電バイモルフを積層し、電気的に直列に接続することにより明瞭度を向上させようとしている。非特許文献１記載の発明において、個々の圧電バイモルフの出力レベルを任意に調整して各圧電バイモルフの出力を混合することができるとすれば、話者の状況、例えば話者が男性であるか女性であるかなどの環境条件に合わせて細かく調整することにより、明瞭度の向上を図ることができる。しかしながら、前述のとおり、非特許文献１記載の発明は、個々の圧電バイモルフの出力レベルを任意に調整することを想定していない。
【先行技術文献】
【特許文献】
【０００９】
【非特許文献１】デンソーテクニカルレビュー  Ｖｏｌ.8  Ｎｏ．１  ２００３「特集  音声認識用骨伝導マイクロホンの開発」
【発明の概要】
【発明が解決しようとする課題】
【００１０】
前記非特許文献１記載の骨伝導マイクロホンは、積層した個々の圧電バイモルフの周波数応答特性を任意に調整することは難しく、そもそも非特許文献１記載の骨伝導マイクロホンに、個々の圧電バイモルフの周波数応答特性を任意に調整するという発想はない。
【００１１】
本発明は、以上説明した従来技術をさらに改良し、圧電バイモルフを用いた咽喉マイクロホンにおいて、使用条件や環境条件に応じて周波数応答を調整できるようにして、摩擦音や破裂音を含む音声をより明瞭に集音することが可能な咽喉マイクロホンを提供することを目的とする。
【課題を解決するための手段】
【００１２】
本発明に係る咽喉マイクロホンは、
声帯振動を受けることによって音声信号に変換するとともに共振周波数が異なる複数の圧電バイモルフを備え、
上記各圧電バイモルフはその出力インピーダンスを変換するインピーダンス変換器を有し、
一つの圧電バイモルフが有するインピーダンス変換器の出力で他の圧電バイモルフを駆動するように接続されて各圧電バイモルフの出力信号が加算されるように構成され、
各インピーダンス変換器の入力抵抗は可変であって各インピーダンス変換器出力の低域の周波数応答が可変であることを最も主要な特徴とする。
【発明の効果】
【００１３】
各圧電バイモルフの出力信号が加算されて出力される。各圧電バイモルフが有するインピーダンス変換器は、その入力抵抗を可変することにより低域の周波数応答を変えることができる。咽喉マイクロホンの使用条件、例えば、使用者の性別などに応じて上記入力抵抗を可変することにより、集音しにくい摩擦音や破裂音も明瞭に集音することができるように調整することができる。
【図面の簡単な説明】
【００１４】
【図１】本発明に係る咽喉マイクロホンの実施例を示す回路図である。
【図２】本発明に係る咽喉マイクロホンに適用することができる圧電バイモルフの例を示す一部断面側面図である。
【図３】上記実施例における各圧電バイモルフの出力信号の周波数応答特性を示す線図である。
【図４】上記実施例において各インピーダンス変換器の入力抵抗を可変した場合の上記周波数応答特性の変化の様子を示す線図である。
【図５】上記実施例における複数の圧電バイモルフの出力信号を加算することによって得られる咽喉マイクロホンの出力信号の周波数応答特性例を示す線図である。
【発明を実施するための形態】
【００１５】
以下、本発明に係る咽喉マイクロホンの実施例について、図面を参照しながら説明する。
【実施例】
【００１６】
図１に示す実施例は、第１圧電バイモルフ１１と第２圧電バイモルフ１２を用いた咽喉マイクロホンの例である。図１において、第１圧電バイモルフ１１の一方の電極はグランドに接続され、他方の電極は電界効果型トランジスタ（以下「ＦＥＴ」という）のゲートに接続されている。ＦＥＴ３１は、第１圧電バイモルフ１１の出力インピーダンスを低インピーダンスに変換する第１インピーダンス変換器の能動素子である。ＦＥＴ３１のドレインには直流電源ＶＤＤから直流電圧が供給される。ＦＥＴ３１のソースは、抵抗３２と抵抗３３を経てグランドに接続されている。ＦＥＴ３１のゲートと、上記抵抗３２、３３の接続点との間には、第１インピーダンス変換器の能動素子であるＦＥＴ３１の入力抵抗３４が接続されている。
【００１７】
入力抵抗３４は可変抵抗であって、入力抵抗３４の値を調整することにより、実質的には第１圧電バイモルフ１１に並行接続された抵抗の値を調整することができるように回路が構成されている。上記抵抗３３も可変抵抗であるが、ＦＥＴ３１のソースとグランドとの間の抵抗値は変わらず、可変抵抗３３の摺動子につながる端子すなわち可変端子が第１圧電バイモルフ１１の出力端子となっていて、上記可変端子の位置に応じて第１圧電バイモルフ１１の出力レベルが設定されるようになっている。
【００１８】
第２圧電バイモルフ１２の一方の電極は上記可変抵抗３３の可変端子に接続され、他方の電極はＦＥＴ４１のゲートに接続されている。ＦＥＴ４１は、第２圧電バイモルフ１２の出力インピーダンスを低インピーダンスに変換する第２インピーダンス変換器の能動素子である。ＦＥＴ４１のドレインには直流電源ＶＤＤから直流電圧が供給される。ＦＥＴ４１のソースは、抵抗４２と抵抗４３を経てグランドに接続されている。ＦＥＴ４１のゲートと、上記抵抗４２、４３の接続点との間には、第２インピーダンス変換器の能動素子であるＦＥＴ４１の入力抵抗４４が接続されている。
【００１９】
入力抵抗４４は可変抵抗であって、入力抵抗４４の値を調整することにより、実質的には第２圧電バイモルフ１２に並行接続された抵抗の値を調整することができるように回路が構成されている。上記抵抗４３も可変抵抗であるが、ＦＥＴ４１のソースとグランドとの間の抵抗値は変わらず、可変抵抗４３の摺動子につながる端子すなわち可変端子が第２圧電バイモルフ１２の出力端子となっていて、上記可変端子の位置に応じて第２圧電バイモルフ１２の出力レベルが設定されるようになっている。可変抵抗４３の可変端子から出力される信号が本実施例にかかる咽喉マイクロホンの出力信号として、端子５２から出力されるようになっている。
【００２０】
ここまでの説明でわかるように、第１圧電バイモルフ１１が有するインピーダンス変換器としてのＦＥＴ３１の出力で第２圧電バイモルフ１２を駆動するように接続され、第１、第２圧電バイモルフ１１、１２の出力信号が加算されて出力されるように構成されている。
【００２１】
直流電源ＶＤＤは外部にあり、外部の直流電源ＶＤＤから端子５１を経て、本実施例にかかる咽喉マイクロホンに電源が供給されるように構成されている。また、符号５３はグランド端子を示しており、端子５２とともに外部機器に接続されるようになっている。入力抵抗３４，４４および可変抵抗３３，４３は、咽喉マイクロホンの外側からユーザーが操作できるように取り付けられている。
【００２２】
第１、第２圧電バイモルフ１１、１２は、声帯振動を受けることによって音声信号に変換することができ、それぞれの共振周波数が異なっている。第１、第２圧電バイモルフ１１、１２の物理的な構成は特に限定されるものではないが、一例を図２に示す。図２において、圧電バイモルフ１１，１２は長方形の板状に形成されていて、長さ方向の一端部の両面にそれぞれ電極１６，１７、電極１８，１９を有している。第１、第２圧電バイモルフ１１，１２が上記電極形成部において積層され、隣接する圧電バイモルフ１１，１２の上記電極１７，１８間には絶縁材からなるスペーサ２０が介在している。
【００２３】
上記スペーサ２０を含む各圧電バイモルフ１１，１２の上記電極形成部を軸１５が貫通し、軸１５の頭部と軸１５の先端に固着された例えばナットなどの締結部材２１とによって、各圧電バイモルフ１１，１２が上記電極形成部において一体に締結されている。軸１５の頭部を咽喉に押し当てると、音声を発したときの声帯の振動が上記頭部を介して軸１５に伝達され、さらに第１、第２圧電バイモルフ１１、１２に伝達されるようになっている。
【００２４】
第１、第２圧電バイモルフ１１、１２は、声帯振動を受けることによって音声信号に変換することができ、第１圧電バイモルフ１１で変換された音声信号Ｐ１は電極１６，１７から、第２圧電バイモルフ１２で変換された音声信号Ｐ２は電極１７，１８から出力される。第１、第２圧電バイモルフ１１、１２は共振周波数が異なるように設定されている。図２に示す例では、第１、第２圧電バイモルフ１１、１２の基本仕様は同一とし、第１、第２圧電バイモルフ１１、１２の先端部に固着した錘１３，１４の重さを異ならせることにより、第１、第２圧電バイモルフ１１、１２の共振周波数を異ならせている。第１、第２圧電バイモルフ１１、１２は、上記電極を通じて、図１に示すように電気的に接続されている。
【００２５】
図１、図２に示す実施例では、第１圧電バイモルフ１１の錘１３の重さが第２圧電バイモルフ１２の錘１４よりも重く、第１圧電バイモルフ１１の共振周波数は第２圧電バイモルフ１２の共振周波数よりも低くなっている。図３に示す曲線Ｐ１は第１圧電バイモルフ１１の周波数応答特性を、曲線Ｐ２は第２圧電バイモルフ１２の周波数応答特性を示している。曲線Ｐ１と曲線Ｐ２を比較すると明らかなように、第１圧電バイモルフ１１の錘１３は重さが重いため、その周波数応答特性Ｐ１は第２圧電バイモルフ１２の周波数応答特性Ｐ２よりも低域に偏っている。また、第１圧電バイモルフ１１の出力レベルは第２圧電バイモルフ１２の出力レベルよりも高くなっている。曲線Ｐ１と曲線Ｐ２のピークは、第１、第２圧電バイモルフ１１、１２の共振点の出力レベルを示している。
【００２６】
図１に示す入力抵抗３４の抵抗値を調整することにより第１圧電バイモルフ１１の周波数応答を調整することができ、入力抵抗４４の抵抗値を調整することにより第２圧電バイモルフ１２の周波数応答を調整することができる。図４は上記入力抵抗３４，４４を可変することによって第１、第２圧電バイモルフ１１、１２の周波数応答が変わる様子を示している。入力抵抗３４，４４を可変することによって、第１、第２圧電バイモルフ１１、１２が有しているインピーダンス変換器としてのＦＥＴ３１，４２の入力抵抗の値が変わることになり、第１、第２圧電バイモルフ１１、１２の周波数応答におけるローカット位置が変わる。ＦＥＴ３１，４１の入力抵抗３４，４４が低下すると低域の周波数応答が低下し、より広い範囲でローカットされる。すなわち、ローカット位置が高い周波数の方に移動する。そこで、環境騒音の特徴などに対応して入力抵抗３４，４４の値を調整し、それぞれのローカット位置を調整することにより、振動などによる不要な低域雑音が音声信号に混入することを防止し、明瞭度を高めることができる。
【００２７】
既に述べたとおり、第１圧電バイモルフ１１が有するＦＥＴ３１の出力で第２圧電バイモルフ１２を駆動するように接続されているため、各圧電バイモルフ１１，１２の出力信号が加算される。この加算信号の周波数応答特性の例を図５に示す。図５から明らかなように、上記加算信号の周波数応答特性は、図４に示すような、インピーダンス変換後の第１、第２圧電バイモルフ１１、１２の周波数応答特性を重ね合わせたような特性になる。図５において、２つのピークはそれぞれ第１、第２圧電バイモルフ１１、１２の共振周波数に現れている。図５において、Ｌ１，Ｌ２は上記２つのピークにおける出力レベルを示している。第１圧電バイモルフ１１の共振周波数の出力レベルＬ１は、図１における可変抵抗３３を調整することによって変えることができる。同様に、第２圧電バイモルフ１２の共振周波数の出力レベルＬ２は、図１における可変抵抗４３を調整することによって変えることができる。
【００２８】
このように、図示の実施例は、第１、第２圧電バイモルフ１１、１２を備え、各圧電バイモルフ１１，１２はその出力インピーダンス変換するＦＥＴ３１，４１を有し、前段の圧電バイモルフ１１が有するＦＥＴ３１の出力で後段の圧電バイモルフ１２を駆動するように接続されている。そして、各圧電バイモルフの出力信号が加算されるように構成され、各ＦＥＴ３１，４１は可変の入力抵抗３４，４４を有し、第１、第２圧電バイモルフ１１、１２が有するＦＥＴ３１，４１の出力レベルを可変とする可変抵抗３３，４３を備えている。上記入力抵抗３４，４４の値を変えることによって第１、第２圧電バイモルフ１１、１２のローカット位置を調整し、上記可変抵抗３３，４３を調整することによって第１、第２圧電バイモルフ１１、１２の出力レベルを調整し、咽喉マイクロホンの周波数応答特性を調整することができる。このようにして、環境騒音、その他の使用条件に対応して入力抵抗３４，４４または可変抵抗３３，４３を調整することにより、不要な低域雑音を低下させ、必要な摩擦音や破裂音を収音して、明瞭度の高い音声信号を得ることができる。
【００２９】
本発明に係る咽喉マイクロホンは、図示の実施例の構成に限定されるものではなく、以下のように設計変更することができる。
第１、第２圧電バイモルフ１１、１２の共振周波数を異ならせるために、第１、第２圧電バイモルフ１１、１２の基本仕様、例えば、長さや厚さなどを異ならせてもよい。さらに、第１、第２圧電バイモルフ１１、１２の基本仕様を異ならせ、さらに、固着する錘１３，１４の重さを異ならせてもよい。
【００３０】
また、図１、図２に示す例では、共振周波数が異なる２つの圧電バイモルフを用いているが、共振周波数が異なる３つ以上の圧電バイモルフを使用してもよい。その場合、各圧電バイモルフがその出力インピーダンスを変換するインピーダンス変換器を有していて、前段の圧電バイモルフが有するインピーダンス変換器の出力で後段の圧電バイモルフを駆動するように接続する。これにより、各圧電バイモルフの出力信号が加算されるように構成する。
【産業上の利用可能性】
【００３１】
本発明に係る咽喉マイクロホンは、航空機の整備場、機械加工現場、その他環境騒音レベルが高い場所において、人の音声を明瞭に伝える必要がある場合に有用である。また、水中作業など、空気伝搬による音声を交信できない環境下において、人の音声を明瞭に伝える必要がある場合に有用である。
【符号の説明】
【００３２】
１１    第１圧電バイモルフ
１２    第２圧電バイモルフ
１３    錘
１４    錘
３１    ＦＥＴ
３３    可変抵抗
３４    入力抵抗
４１    ＦＥＴ
４３    可変抵抗
４４    入力抵抗
【図１】
0005579120.tif 000002
【図２】
0005579120.tif 000003
【図３】
0005579120.tif 000004
【図４】
0005579120.tif 000005
【図５】
0005579120.tif 000006